(57)【要約】【課題】作業者の目を疲れさせることなく、少数のＬＥＤで照明装置として機能させること。縫製工程における省電力化を図ること。【解決手段】ミシンの照明装置１０は、通電により縫い針及び作業者の手元を照射する少なくとも二つのＬＥＤ１１，１２，１２と、ミシンを起動させる主電源スイッチのＯＮにより一のＬＥＤ１１を点灯させる第１のＬＥＤ点灯制御手段１３と、縫製を開始する指示入力がなされる縫製開始スイッチ１０６のＯＮにより、他のＬＥＤ１２，１２を点灯させ、縫製を停止する指示入力がなされる縫製停止スイッチ１０６のＯＮにより、他のＬＥＤ１２，１２を消灯させる第２のＬＥＤ点灯制御手段１３と、を備える。【選択図】図４
2007117367.tif 000002
【特許請求の範囲】
【請求項１】
通電により縫い針及び作業者の手元を照射する少なくとも二つのＬＥＤと、
ミシンを起動させる主電源スイッチのＯＮにより一のＬＥＤを点灯させる第１のＬＥＤ点灯制御手段と、
縫製を開始する指示入力がなされる縫製開始スイッチのＯＮにより、他のＬＥＤを点灯させ、縫製を停止する指示入力がなされる縫製停止スイッチのＯＮにより、前記他のＬＥＤを消灯させる第２のＬＥＤ点灯制御手段と、
を備えることを特徴とするミシンの照明装置。
【請求項２】
前記一のＬＥＤを集光型ＬＥＤとし、前記他のＬＥＤを拡散型ＬＥＤとすることを特徴とする請求項１に記載のミシンの照明装置。
【請求項３】
通電により縫い針及び作業者の手元を照射する少なくとも一つの集光型ＬＥＤと、
ミシンを起動させる主電源スイッチのＯＮにより前記集光型ＬＥＤを点灯させる集光型ＬＥＤ点灯制御手段と、
前記集光型ＬＥＤから発光された光を透過させて拡散させる拡散光学系と、
前記集光型ＬＥＤから発光される光の光路上に前記拡散光学系を進退させる駆動機構と、
縫製を開始する指示入力がなされる縫製開始スイッチのＯＮにより、前記拡散光学系が前記集光型ＬＥＤの光路上に進出するように前記駆動機構を駆動させ、縫製を停止する指示入力がなされる縫製停止スイッチのＯＮにより、前記拡散光学系が前記集光型ＬＥＤの光路上から退避するように前記駆動機構を駆動させる拡散光学系駆動制御手段と、
を備えることを特徴とするミシンの照明装置。
【請求項４】
前記拡散光学系駆動制御手段は、縫い針の針穴に糸通しを行う指示入力がなされる糸通しスイッチのＯＮにより、前記拡散光学系が前記集光型ＬＥＤの光路上から退避するように前記駆動機構を駆動させることを特徴とする請求項３に記載のミシンの照明装置。
【請求項５】
通電により縫い針及び作業者の手元を照射する少なくとも一つの拡散型ＬＥＤと、
ミシンを起動させる主電源スイッチのＯＮにより前記拡散型ＬＥＤを点灯させる拡散型ＬＥＤ点灯制御手段と、
前記拡散型ＬＥＤから発光された光を透過させて集光させる集光光学系と、
前記拡散型ＬＥＤから発光される光の光路上に前記集光光学系を進退させる駆動機構と、
縫製を開始する指示入力がなされる縫製開始スイッチのＯＮにより、前記集光光学系が前記拡散型ＬＥＤの光路上から退避するように前記駆動機構を駆動させ、縫製を停止する指示入力がなされる縫製停止スイッチのＯＮにより、前記集光光学系が前記拡散型ＬＥＤの光路上に進出するように前記駆動機構を駆動させる集光光学系駆動制御手段と、
を備えることを特徴とするミシンの照明装置。
【請求項６】
前記集光光学系駆動制御手段は、縫い針の針穴に糸通しを行う指示入力がなされる糸通しスイッチのＯＮにより、前記集光光学系が前記拡散型ＬＥＤの光路上に進出するように前記駆動機構を駆動させることを特徴とする請求項５に記載のミシンの照明装置。
【発明の詳細な説明】
【技術分野】
【０００１】
本発明は、ミシンの照明装置に関する。
【背景技術】
【０００２】
家庭用ミシンには、縫い針及び作業者の手元を照射する照明装置が設けられている（例えば、特許文献１参照。）。照明装置としては、従来豆電球が主として用いられてきたが、近年は、低価格、長寿命という長所を生かし、ＬＥＤ（発光ダイオード）が主として用いられる。ＬＥＤには、狭い範囲に集中して光を照射する集光型ＬＥＤと、広い範囲に拡散させて光を照射する拡散型ＬＥＤがある。産業界においても、これらは用途に合わせて適宜選択される。
【特許文献１】特開２０００−３０８７８７公報
【発明の開示】
【発明が解決しようとする課題】
【０００３】
しかし、ＬＥＤをミシンの照明装置として用いる場合には問題がある。それは、集光型ＬＥＤを用いると、狭い範囲を集中して照射することから周囲との明暗の差が激しく、縫製中のように作業者が針先付近をじっと見る状況においては目が疲れてしまうという問題があった。一方、拡散型ＬＥＤを用いると、光が広い範囲に拡散することから、単位面積あたりの光量が十分ではなく、照明装置として機能させるためには多くの拡散型ＬＥＤが必要となるため、コストが高騰し、消費電力もあがるという問題があった。また、縫製工程における省電力化を図ることも強く望まれていた。
【０００４】
そこで、本発明は、上記課題を解決するためになされたものであり、作業者の目を疲れさせることなく、少数のＬＥＤで照明装置として機能させることができるミシンの照明装置を提供することを目的とする。
また、本発明は、縫製工程における省電力化を図ることができるミシンの照明装置を提供することを目的とする。
【課題を解決するための手段】
【０００５】
以上の課題を解決するため、請求項１に記載の発明は、ミシンの照明装置において、通電により縫い針及び作業者の手元を照射する少なくとも二つのＬＥＤと、ミシンを起動させる主電源スイッチのＯＮにより一のＬＥＤを点灯させる第１のＬＥＤ点灯制御手段と、縫製を開始する指示入力がなされる縫製開始スイッチのＯＮにより、他のＬＥＤを点灯させ、縫製を停止する指示入力がなされる縫製停止スイッチのＯＮにより、前記他のＬＥＤを消灯させる第２のＬＥＤ点灯制御手段と、を備えることを特徴とする。
【０００６】
請求項１に記載の発明によれば、ミシンの主電源スイッチがＯＮになると、第１のＬＥＤ点灯制御手段は一のＬＥＤを点灯させる。そして、縫製開始スイッチがＯＮになると、第２のＬＥＤ点灯制御手段は他のＬＥＤを点灯させ、縫製停止スイッチがＯＮになると、ＬＥＤ点灯制御手段は他のＬＥＤを消灯させる。
これにより、縫製時に必要なＬＥＤは、縫製開始スイッチ及び縫製停止スイッチにより、縫製中だけ点灯されるので、縫製工程における省電力化を図ることができる。
【０００７】
請求項２に記載の発明は、請求項１に記載のミシンの照明装置において、前記一のＬＥＤを集光型ＬＥＤとし、前記他のＬＥＤを拡散型ＬＥＤとすることを特徴とする。
【０００８】
請求項２に記載の発明によれば、集光型ＬＥＤは、ミシンの主電源スイッチがＯＮになると点灯し、拡散型ＬＥＤは、縫製開始スイッチがＯＮになると点灯し、縫製停止スイッチがＯＮになると消灯する。
これにより、ミシンを起動させてから縫製開始までの縫製準備をする際には、集光型ＬＥＤにより縫い針及び作業者の手元を照射して明るくすることができる。一方、縫製開始後には、集光型ＬＥＤ及び拡散型ＬＥＤにより縫い針及び作業者の手元を照射して、集光型ＬＥＤの照射領域周囲を拡散型ＬＥＤにより照射して、集光型ＬＥＤの照射領域とその周囲との明暗の差を小さくすることができる。また、縫製準備中及び縫製中においても、集光型ＬＥＤを消灯させることはないので、拡散型ＬＥＤを設ける数が少数であっても縫い針及び作業者の手元を照射する光量が不足することはない。
また、縫製停止スイッチがＯＮになると、再び縫製準備をするときの状態（集光型ＬＥＤにより縫い針及び作業者の手元を照射して明るくする）に戻すことができる。
よって、作業者の目を疲れさせることなく、作業者の目が疲れる作業時にだけ拡散型ＬＥＤを照射させることができるので、縫製工程における省電力化を図ることができる。
【０００９】
請求項３に記載の発明は、ミシンの照明装置において、通電により縫い針及び作業者の手元を照射する少なくとも一つの集光型ＬＥＤと、ミシンを起動させる主電源スイッチのＯＮにより前記集光型ＬＥＤを点灯させる集光型ＬＥＤ点灯制御手段と、前記集光型ＬＥＤから発光された光を透過させて拡散させる拡散光学系と、前記集光型ＬＥＤから発光される光の光路上に前記拡散光学系を進退させる駆動機構と、縫製を開始する指示入力がなされる縫製開始スイッチのＯＮにより、前記拡散光学系が前記集光型ＬＥＤの光路上に進出するように前記駆動機構を駆動させ、縫製を停止する指示入力がなされる縫製停止スイッチのＯＮにより、前記拡散光学系が前記集光型ＬＥＤの光路上から退避するように前記駆動機構を駆動させる拡散光学系駆動制御手段と、を備えることを特徴とする。
【００１０】
請求項３に記載の発明によれば、ミシンの主電源スイッチがＯＮになると、ＬＥＤ点灯制御手段は集光型ＬＥＤを点灯させる。そして、縫製開始スイッチがＯＮになると、拡散光学系駆動制御手段は、拡散光学系が集光型ＬＥＤの光路上に進出するように駆動機構を駆動させる。さらに、縫製停止スイッチがＯＮになると、拡散光学系駆動制御手段は、拡散光学系が集光型ＬＥＤの光路上から退避するように駆動機構を駆動させる。
これにより、ミシンを起動させてから縫製開始までの縫製準備をする際には、集光型ＬＥＤにより縫い針及び作業者の手元を照射して明るくすることができる。一方、縫製開始後には、集光型ＬＥＤから照射される光を拡散光学系により拡散させることで集光型ＬＥＤの照射領域とその周囲との明暗の差を小さくすることができる。また、拡散光学系を設けることで拡散型ＬＥＤを設ける必要がなくなる。
また、縫製を停止させると再び縫製準備をするときの状態（集光型ＬＥＤにより縫い針及び作業者の手元を照射して明るくする）に戻すことができる。
よって、作業者の目が疲れる作業時には拡散光学系を用いて集光型ＬＥＤから照射させる光を拡散させることができるので、作業者の目を疲れさせることなく、少数のＬＥＤでミシンの照明装置として機能させることができる。
【００１１】
請求項４に記載の発明は、請求項３に記載のミシンの照明装置において、前記拡散光学系駆動制御手段は、縫い針の針穴に糸通しを行う指示入力がなされる糸通しスイッチのＯＮにより、前記拡散光学系が前記集光型ＬＥＤの光路上から退避するように前記駆動機構を駆動させることを特徴とする。
【００１２】
請求項４に記載の発明によれば、糸通しスイッチがＯＮになると、拡散光学系駆動制御手段は、拡散光学系が集光型ＬＥＤの光路上から退避するように駆動機構を駆動させる。
これにより、作業者の目が疲れる作業時には拡散光学系を用いて集光型ＬＥＤから照射させる光を拡散させることができ、糸通しを行うときには拡散光学系を退避させて集光型ＬＥＤから照射される光により縫い針を明るく照射することができるので、少数のＬＥＤでミシンの照明装置として機能させることができる。
【００１３】
請求項５に記載の発明は、ミシンの照明装置において、通電により縫い針及び作業者の手元を照射する少なくとも一つの拡散型ＬＥＤと、ミシンを起動させる主電源スイッチのＯＮにより前記拡散型ＬＥＤを点灯させる拡散型ＬＥＤ点灯制御手段と、前記拡散型ＬＥＤから発光された光を透過させて集光させる集光光学系と、前記拡散型ＬＥＤから発光される光の光路上に前記集光光学系を進退させる駆動機構と、縫製を開始する指示入力がなされる縫製開始スイッチのＯＮにより、前記集光光学系が前記拡散型ＬＥＤの光路上から退避するように前記駆動機構を駆動させ、縫製を停止する指示入力がなされる縫製停止スイッチのＯＮにより、前記集光光学系が前記拡散型ＬＥＤの光路上に進出するように前記駆動機構を駆動させる集光光学系駆動制御手段と、を備えることを特徴とする。
【００１４】
請求項５に記載の発明によれば、ミシンの主電源スイッチがＯＮになると、拡散型ＬＥＤ点灯制御手段は拡散型ＬＥＤを点灯させる。そして、縫製開始スイッチがＯＮになると、集光光学系駆動制御手段は、集光光学系が拡散型ＬＥＤの光路上から退避するように駆動機構を駆動させる。さらに、縫製停止スイッチがＯＮになると、集光光学系駆動制御手段は、集光光学系が拡散型ＬＥＤの光路上に進出するように駆動機構を駆動させる。
これにより、ミシンを起動させてから縫製開始までの縫製準備をする際には、拡散型ＬＥＤから照射された光を集光光学系により集光させて、縫い針及び作業者の手元を照射して明るくすることができる。一方、縫製開始後には、集光光学系を退避させて拡散型ＬＥＤから照射される光を照射することで集光を防止することができる。また、集光光学系を設けることで集光型ＬＥＤを設ける必要がなくなる。
また、縫製中は拡散型ＬＥＤの照射して縫い針及び作業者の手元を照射するが、縫製を停止させると拡散型ＬＥＤから照射された光を集光光学系により集光させることができ、縫い針及び作業者の手元を明るくすることができる。
よって、作業者の目が疲れる作業時には拡散型ＬＥＤから照射させる光を照射することができるので、作業者の目を疲れさせることなく、少数のＬＥＤでミシンの照明装置として機能させることができる。
【００１５】
請求項６に記載の発明は、請求項５に記載のミシンの照明装置において、前記集光光学系駆動制御手段は、縫い針の針穴に糸通しを行う指示入力がなされる糸通しスイッチのＯＮにより、前記集光光学系が前記拡散型ＬＥＤの光路上に進出するように前記駆動機構を駆動させることを特徴とする。
【００１６】
請求項６に記載の発明によれば、糸通しスイッチがＯＮになると、集光光学系駆動制御手段は、集光光学系が拡散型ＬＥＤの光路上に進出するように駆動機構を駆動させる。
これにより、作業者の目が疲れる作業時には集光光学系を退避させて拡散型ＬＥＤから照射させる光を照射することができ、糸通しを行うときには集光光学系を進出させて拡散型ＬＥＤから照射される光を集光して縫い針を明るく照射することができるので、少数のＬＥＤでミシンの照明装置として機能させることができる。
【発明の効果】
【００１７】
請求項１に記載の発明によれば、縫製時に必要なＬＥＤは、縫製開始スイッチ及び縫製停止スイッチにより、縫製中だけ点灯されるので、縫製工程における省電力化を図ることができる。
【００１８】
請求項２に記載の発明によれば、ミシンを起動させてから縫製開始までの縫製準備をする際には、集光型ＬＥＤにより縫い針及び作業者の手元を照射して明るくすることができる。一方、縫製開始後には、集光型ＬＥＤ及び拡散型ＬＥＤにより縫い針及び作業者の手元を照射して、集光型ＬＥＤの照射領域周囲を拡散型ＬＥＤにより照射して、集光型ＬＥＤの照射領域とその周囲との明暗の差を小さくすることができる。また、縫製準備中及び縫製中においても、集光型ＬＥＤを消灯させることはないので、拡散型ＬＥＤを設ける数が少数であっても縫い針及び作業者の手元を照射する光量が不足することはない。
また、縫製停止スイッチがＯＮになると、再び縫製準備をするときの状態（集光型ＬＥＤにより縫い針及び作業者の手元を照射して明るくする）に戻すことができる。
よって、作業者の目を疲れさせることなく、作業者の目が疲れる作業時にだけ拡散型ＬＥＤを照射させることができるので、縫製工程における省電力化を図ることができる。
【００１９】
請求項３に記載の発明によれば、ミシンを起動させてから縫製開始までの縫製準備をする際には、集光型ＬＥＤにより縫い針及び作業者の手元を照射して明るくすることができる。一方、縫製開始後には、集光型ＬＥＤから照射される光を拡散光学系により拡散させることで集光型ＬＥＤの照射領域とその周囲との明暗の差を小さくすることができる。また、拡散光学系を設けることで拡散型ＬＥＤを設ける必要がなくなる。
また、縫製を停止させると再び縫製準備をするときの状態（集光型ＬＥＤにより縫い針及び作業者の手元を照射して明るくする）に戻すことができる。
よって、作業者の目が疲れる作業時には拡散光学系を用いて集光型ＬＥＤから照射させる光を拡散させることができるので、作業者の目を疲れさせることなく、少数のＬＥＤでミシンの照明装置として機能させることができる。
【００２０】
請求項４に記載の発明によれば、作業者の目が疲れる作業時には拡散光学系を用いて集光型ＬＥＤから照射させる光を拡散させることができ、糸通しを行うときには拡散光学系を退避させて集光型ＬＥＤから照射される光により縫い針を明るく照射することができるので、少数のＬＥＤでミシンの照明装置として機能させることができる。
【００２１】
請求項５に記載の発明によれば、ミシンを起動させてから縫製開始までの縫製準備をする際には、拡散型ＬＥＤから照射された光を集光光学系により集光させて、縫い針及び作業者の手元を照射して明るくすることができる。一方、縫製開始後には、集光光学系を退避させて拡散型ＬＥＤから照射される光を照射することで集光を防止することができる。また、集光光学系を設けることで集光型ＬＥＤを設ける必要がなくなる。
また、縫製中は拡散型ＬＥＤの照射して縫い針及び作業者の手元を照射するが、縫製を停止させると拡散型ＬＥＤから照射された光を集光光学系により集光させることができ、縫い針及び作業者の手元を明るくすることができる。
よって、作業者の目が疲れる作業時には拡散型ＬＥＤから照射させる光を照射することができるので、作業者の目を疲れさせることなく、少数のＬＥＤでミシンの照明装置として機能させることができる。
【００２２】
請求項６に記載の発明によれば、作業者の目が疲れる作業時には集光光学系を退避させて拡散型ＬＥＤから照射させる光を照射することができ、糸通しを行うときには集光光学系を進出させて拡散型ＬＥＤから照射される光を集光して縫い針を明るく照射することができるので、少数のＬＥＤでミシンの照明装置として機能させることができる。
【発明を実施するための最良の形態】
【００２３】
以下、図面を参照して、ミシンの照明装置の最良の形態について詳細に説明する。
〔実施形態１〕
＜照明装置の構成＞
図１に示すように、照明装置１０は、ミシン１００に設けられ、通電により縫い針１０３及び作業者の手元を照射するものであり、縫い針１０３への糸通しや作業者による縫製状況の視認を容易にするものである。ミシン１００は、例えば、家庭用ミシンであり、土台となるベッド部１０１を備え、このベッド部１０１上にはアーム部１０２が設けられている。アーム部１０２の先端部には、縫い針１０３が取り付けられた針棒１０４が設けられ、この針棒１０４に隣接して糸通し装置１０５が設けられている。また、アーム部１０２の側面には、縫製を開始する指示入力を行うとともに、縫製を停止させる指示入力を行う縫製開始スイッチ兼縫製停止スイッチとしてのスタートストップスイッチ１０６（以下、Ｓ／Ｓスイッチ１０６という。）が設けられている。Ｓ／Ｓスイッチ１０６は、最初の押下により縫製を開始させ、二回目の押下により縫製を停止させ、三回目の押下により再び縫製を開始させる。
【００２４】
図１，図２に示すように、照明装置１０は、通電により縫い針１０３及び作業者の手元を照射する一つの集光型ＬＥＤ１１と、通電により縫い針１０３及び作業者の手元を照射する二つの拡散型ＬＥＤ１２，１２と、集光型ＬＥＤ１１及び拡散型ＬＥＤ１２，１２の点灯・消灯の制御を行う制御装置１３と、を備えている。
集光型ＬＥＤ１１は、指向性の高いＬＥＤであり、照射範囲を明るく照らすことができるが、照射範囲は狭い。また、集光型ＬＥＤ１１の発光色は白色であることが好ましい。
拡散型ＬＥＤ１２，１２は、指向性の低いＬＥＤであり、照射範囲は広いが、照射範囲を集光型ＬＥＤ１１のように明るく照らすことができない。また、拡散型ＬＥＤ１２，１２の発光色は白色であることが好ましい。
【００２５】
集光型ＬＥＤ１１及び拡散型ＬＥＤ１２，１２は、ミシン１００の左右方向に等間隔に並んで設けられ、二つの拡散型ＬＥＤ１２，１２の間に集光型ＬＥＤ１１が設けられている。集光型ＬＥＤ１１及び拡散型ＬＥＤ１２，１２は、集光型ＬＥＤ１１の照射光と拡散型ＬＥＤ１２，１２の照射光とがベッド部１０１上面に設けられた針板１０７上面で重なり合う距離となるように配置されている。
具体的には、図３に示すように、集光型ＬＥＤ１１は、針板１０７の中心近傍を集中的に照射するものであり、送り歯１０８、針穴１０９が集光型ＬＥＤ１１の照射範囲Ａ内に収まる。また、拡散型ＬＥＤ１２，１２は、一つで針板１０７全域を照射するものであり、針板１０７全体が拡散型ＬＥＤ１２の照射範囲Ｂ内に収まる。
【００２６】
図４に示すように、制御装置１３は、点灯・消灯制御等に関する処理プログラムに従って各処理を実行するＣＰＵ１４と、処理プログラムを展開してＣＰＵ１４の作業エリアとなるＲＡＭ１５と、各処理を実行するための処理プログラムや処理データ等が記憶されるＲＯＭ１６と、を備えている。
ＲＯＭ１６には、ミシンを起動させる主電源スイッチのＯＮにより集光型ＬＥＤ１１を点灯させる集光型ＬＥＤ点灯制御プログラム１６ａが記憶されている。すなわち、ＣＰＵ１４が集光型ＬＥＤ点灯制御プログラム１６ａを実行することにより制御装置１３は、第１のＬＥＤ点灯制御手段として機能する。
ＲＯＭ１６には、縫製を開始する指示入力がなされるＳ／Ｓスイッチ１０６の縫製開始ＯＮにより、拡散型ＬＥＤ１２を点灯させるとともに、縫製を停止する指示入力がなされるＳ／Ｓスイッチ１０６の縫製停止ＯＮにより、拡散型ＬＥＤ１２を消灯させる拡散型ＬＥＤ点灯制御プログラム１６ｂが記憶されている。すなわち、ＣＰＵ１４が拡散型ＬＥＤ点灯制御プログラム１６ｂを実行することにより、制御装置１３は、第２のＬＥＤ点灯制御手段として機能する。
【００２７】
＜照明装置の動作＞
次に、照明装置１０の動作について説明する。
図５に示すように、ミシンの主電源をＯＮにすると（ステップＳ１）、ＣＰＵ１４は、集光型ＬＥＤ点灯制御プログラム１６ａを実行することにより、集光型ＬＥＤ１１を点灯させる（ステップＳ２）。
次いで、ＣＰＵ１４は、Ｓ／Ｓスイッチ１０６が押下されたか否かを判断する（ステップＳ３）。ここでは、Ｓ／Ｓスイッチ１０６は、最初の押下であるため、縫製開始の指示入力がなされる押下となる。ここで、ＣＰＵ１４が、Ｓ／Ｓスイッチ１０６が押下されたと判断すると（ステップＳ３：ＹＥＳ）、ＣＰＵ１４は拡散型ＬＥＤ点灯制御プログラム１６ｂを実行することにより、拡散型ＬＥＤ１２，１２を点灯させる（ステップＳ４）。一方、ＣＰＵ１４が、Ｓ／Ｓスイッチ１０６が押下されていないと判断すると（ステップＳ３：ＮＯ）、ＣＰＵ１４はステップＳ３に戻る。
【００２８】
次いで、ＣＰＵ１４は、Ｓ／Ｓスイッチ１０６が押下されたか否かを判断する（ステップＳ５）。ここでは、Ｓ／Ｓスイッチ１０６は、二回目の押下であるため、縫製停止の指示入力がなされる押下となる。ここで、ＣＰＵ１４が、Ｓ／Ｓスイッチ１０６が押下されたと判断すると（ステップＳ５：ＹＥＳ）、ＣＰＵ１４は拡散型ＬＥＤ点灯制御プログラム１６ｂを実行することにより、拡散型ＬＥＤ１２，１２を点灯させ（ステップＳ６）、これをもって本処理を終了させる。一方、ＣＰＵ１４が、Ｓ／Ｓスイッチ１０６が押下されていないと判断すると（ステップＳ５：ＮＯ）、ＣＰＵ１４はステップＳ５に戻る。
【００２９】
＜作用効果＞
実施形態１におけるミシン１００の照明装置１０によれば、ミシン１００の主電源スイッチがＯＮになると、ＣＰＵ１４は、集光型ＬＥＤ点灯制御プログラム１６ａを実行することにより、集光型ＬＥＤ１１を点灯させる。そして、Ｓ／Ｓスイッチ１０６がＯＮ（縫製開始）になると、ＣＰＵ１４は拡散型ＬＥＤ点灯制御プログラム１６ｂを実行することにより、拡散型ＬＥＤ１２，１２を点灯させる。
これにより、ミシン１００を起動させてから縫製開始までの縫製準備をする際には、集光型ＬＥＤ１１により縫い針１０３及び作業者の手元を照射して明るくすることができる。一方、縫製開始後には、集光型ＬＥＤ１１及び拡散型ＬＥＤ１２，１２により縫い針１０３及び作業者の手元を照射して、集光型ＬＥＤ１１の照射領域周囲を拡散型ＬＥＤ１２，１２により照射して、集光型ＬＥＤ１１の照射領域とその周囲との明暗の差を小さくすることができる。また、縫製準備中及び縫製中においても、集光型ＬＥＤ１１を消灯させることはないので、拡散型ＬＥＤ１２，１２を設ける数が少数であっても縫い針１０３及び作業者の手元を照射する光量が不足することはない。
【００３０】
また、Ｓ／Ｓスイッチ１０６がＯＮ（縫製停止）になると、ＣＰＵ１４は、拡散型ＬＥＤ点灯制御プログラム１６ｂを実行することにより、拡散型ＬＥＤ１２，１２を消灯させる。
これにより、縫製中は拡散型ＬＥＤ１２，１２と集光型ＬＥＤ１１の双方を点灯させて縫い針１０３及び作業者の手元を照射するが、縫製を停止させると再び縫製準備をするときの状態（集光型ＬＥＤ１１により縫い針１０３及び作業者の手元を照射して明るくする）に戻すことができる。
【００３１】
よって、作業者の目を疲れさせることなく、少数のＬＥＤでミシンの照明装置として機能させることができる。
また、作業者の目が疲れる作業時にだけ拡散型ＬＥＤ１２，１２を照射させることができるので、縫製に係る消費電力を節電できる。
【００３２】
〔実施形態２〕
＜照明装置の構成＞
図６に示すように、照明装置２０は、ミシン２００に設けられ、通電により縫い針２０３及び作業者の手元を照射するものであり、縫い針２０３への糸通しや作業者による縫製状況の視認を容易にするものである。ミシン２００は、例えば、家庭用ミシンであり、土台となるベッド部２０１を備え、このベッド部２０１上にはアーム部２０２が設けられている。アーム部２０２の先端部には、縫い針２０３が取り付けられた針棒２０４が設けられ、この針棒２０４に隣接して糸通し装置２０５が設けられている。また、アーム部２０２の側面には、縫製を開始する指示入力を行うとともに、縫製を停止させる指示入力を行う縫製開始スイッチ兼縫製停止スイッチとしてのスタートストップスイッチ２０６（以下、Ｓ／Ｓスイッチ２０６という。）が設けられている。Ｓ／Ｓスイッチ２０６は、最初の押下により縫製を開始させ、二回目の押下により縫製を停止させ、三回目の押下により再び縫製を開始させる。
【００３３】
図６〜図９に示すように、照明装置２０は、通電により縫い針２０３及び作業者の手元を照射する一つの集光型ＬＥＤ２１と、集光型ＬＥＤ２１から発光された光を透過させて拡散させる拡散光学系としての拡散レンズ２２と、集光型ＬＥＤ２１から発光される光の光路上に拡散レンズ２２を進退させる駆動機構２３と、集光型ＬＥＤ２１の点灯・消灯の制御、駆動機構２３の駆動制御を行う制御装置２４と、を備えている。
集光型ＬＥＤ２１は、指向性の高いＬＥＤであり、照射範囲を明るく照らすことができるが、照射範囲は狭い。また、集光型ＬＥＤ２１の発光色は白色であることが好ましい。
【００３４】
拡散レンズ２２は、図７に示すように、集光型ＬＥＤ２１から発光された指向性の高い光を拡散させる形状に形成されており、拡散レンズ２２を透過した光は、単位面積あたりの光量は減少するものの照射範囲は広くなる。拡散レンズ２２は、図８に示すように拡散レンズ２２の周囲を囲む支持枠２２１により支持され、この支持枠２２１の端部は駆動機構２３に連結されている。
駆動機構２３は、図８に示すように、駆動源となるアクチュエータ２３１と、このアクチュエータ２３１の出力軸２３１ａに連結された主動歯車２３２と、主動歯車２３２に噛み合う従動歯車２３３と、を備えている。従動歯車２３３には、支持枠２２１の一端が連結されている。すなわち、アクチュエータ２３１が駆動すると、出力軸２３１ａが回転し、出力軸２３１ａの回転とともに主動歯車２３２が回転する。主動歯車２３２の回転により従動歯車２３３も回転し、従動歯車２３３の回転によって支持枠２２１は、一端を回転中心として回転する。これにより、支持枠２２１に支持されている拡散レンズ２２を集光型ＬＥＤ２１の光路上に進出・退避させることができる。
【００３５】
図９に示すように、制御装置２４は、集光型ＬＥＤ２１の点灯・消灯制御、駆動機構２３の駆動制御等に関する処理プログラムに従って各処理を実行するＣＰＵ２５と、処理プログラムを展開してＣＰＵ２５の作業エリアとなるＲＡＭ２６と、各処理を実行するための処理プログラムや処理データ等が記憶されるＲＯＭ２７と、を備えている。
ＲＯＭ２７には、ミシンを起動させる主電源スイッチのＯＮにより集光型ＬＥＤ２１を点灯させる集光型ＬＥＤ点灯制御プログラム２７ａが記憶されている。すなわち、ＣＰＵ２５が集光型ＬＥＤ点灯制御プログラム２７ａを実行することにより制御装置２４は、集光型ＬＥＤ点灯制御手段として機能する。
【００３６】
ＲＯＭ２７には、縫製を開始する指示入力がなされるＳ／Ｓスイッチ２０６の縫製開始ＯＮにより、拡散レンズ２２が集光型ＬＥＤ２１の光路上に進出するように駆動機構２３を駆動させるとともに、縫製を停止する指示入力がなされるＳ／Ｓスイッチ２０６の縫製停止ＯＮにより、拡散レンズ２２が集光型ＬＥＤ２１の光路上から退避するように駆動機構２３を駆動させる拡散レンズ駆動制御プログラム２７ｂが記憶されている。すなわち、ＣＰＵ２５が拡散レンズ駆動制御プログラム２７ｂを実行することにより制御装置２４は、拡散光学系駆動制御手段として機能する。
また、拡散レンズ駆動制御プログラム２７ｂは、縫い針２０３の針穴に糸通しを行う指示入力がなされる糸通し装置２０５の糸通しレバー２０８の操作により、拡散レンズ２２が集光型ＬＥＤ２１の光路上から退避するように駆動機構２３を駆動させる。
【００３７】
＜照明装置の動作＞
次に、照明装置２０の動作について説明する。
図１０に示すように、ミシンの主電源をＯＮにすると（ステップＳ１１）、ＣＰＵ２５は、集光型ＬＥＤ点灯制御プログラム２７ａを実行することにより、集光型ＬＥＤ２１を点灯させる（ステップＳ１２）。
次いで、ＣＰＵ２５は、Ｓ／Ｓスイッチ２０６が押下されたか否かを判断する（ステップＳ１３）。ここでは、Ｓ／Ｓスイッチ２０６は、最初の押下であるため、縫製開始の指示入力がなされる押下となる。ここで、ＣＰＵ２５が、Ｓ／Ｓスイッチ２０６が押下されたと判断すると（ステップＳ１３：ＹＥＳ）、ＣＰＵ２５は拡散レンズ駆動制御プログラム２７ｂを実行することにより、駆動機構２３を駆動させて拡散レンズ２２を集光型ＬＥＤ２１の光路上に進出させる（ステップＳ１４）。一方、ＣＰＵ２５が、Ｓ／Ｓスイッチ２０６が押下されていないと判断すると（ステップＳ１３：ＮＯ）、ＣＰＵ２５はステップＳ１３に戻る。
【００３８】
次いで、ＣＰＵ２５は、Ｓ／Ｓスイッチ２０６が押下されたか否かを判断する（ステップＳ１５）。ここでは、Ｓ／Ｓスイッチ２０６は、二回目の押下であるため、縫製停止の指示入力がなされる押下となる。ここで、ＣＰＵ２５が、Ｓ／Ｓスイッチ２０６が押下されたと判断すると（ステップＳ１５：ＹＥＳ）、ＣＰＵ２５は拡散レンズ駆動制御プログラム２７ｂを実行することにより、拡散レンズ２２を集光型ＬＥＤ２１の光路上から退避させるように駆動機構２３を駆動させ（ステップＳ１６）、これをもって本処理を終了させる。一方、ＣＰＵ２５が、Ｓ／Ｓスイッチ２０６が押下されていないと判断すると（ステップＳ１５：ＮＯ）、ＣＰＵ２５はステップＳ１５に戻る。
【００３９】
また、縫い針２０３に糸通しを行う際には、作業者は糸通しレバー２０８を操作するが、この糸通しレバー２０８の操作がなされると、ＣＰＵ２５は拡散レンズ駆動制御プログラム２７ｂを実行することにより、拡散レンズ２２を集光型ＬＥＤ２１の光路上から退避させるように駆動機構２３を駆動させる。
【００４０】
＜作用効果＞
実施形態２におけるミシン２００の照明装置２０によれば、ミシンの主電源スイッチがＯＮになると、ＣＰＵ２５は集光型ＬＥＤ点灯制御プログラム２７ａを実行することにより集光型ＬＥＤ２１を点灯させる。そして、Ｓ／Ｓスイッチ２０６がＯＮ（縫製開始）になると、ＣＰＵ２５は拡散レンズ駆動制御プログラム２７ｂを実行することにより、拡散レンズ２２が集光型ＬＥＤ２１の光路上に進出するように駆動機構２３を駆動させる。
これにより、ミシンを起動させてから縫製開始までの縫製準備をする際には、集光型ＬＥＤ２１により縫い針２０３及び作業者の手元を照射して明るくすることができる。一方、縫製開始後には、集光型ＬＥＤ２１から照射される光を拡散レンズ２２により拡散させることで集光型ＬＥＤ２１の照射領域とその周囲との明暗の差を小さくすることができる。また、拡散レンズ２２を設けることで拡散型ＬＥＤを設ける必要がなくなる。
【００４１】
また、Ｓ／Ｓスイッチ２０６がＯＮ（縫製停止）になると、ＣＰＵ２５は拡散レンズ駆動制御プログラム２７ｂを実行することにより、拡散レンズ２２が集光型ＬＥＤ２１の光路上から退避するように駆動機構２３を駆動させる。
これにより、縫製中は拡散レンズ２２により集光型ＬＥＤ２１から照射される光を拡散させて縫い針２０３及び作業者の手元を照射するが、縫製を停止させると再び縫製準備をするときの状態（集光型ＬＥＤ２１により縫い針２０３及び作業者の手元を照射して明るくする）に戻すことができる。
よって、作業者の目を疲れさせることなく、少数のＬＥＤでミシンの照明装置として機能させることができる。
また、作業者の目が疲れる作業時には拡散レンズ２２を用いて集光型ＬＥＤ２１から照射させる光を拡散させることができるので、少数のＬＥＤでミシンの照明装置として機能させることができる。
【００４２】
また、作業者によって糸通しレバー２０８が操作されると、ＣＰＵ２５は拡散レンズ駆動制御プログラム２７ｂを実行することにより、拡散レンズ２２が集光型ＬＥＤ２１の光路上から退避するように駆動機構２３を駆動させる。
これにより、作業者の目が疲れる作業時には拡散レンズ２２を用いて集光型ＬＥＤ２１から照射させる光を拡散させることができ、糸通しを行うときには拡散レンズ２２を退避させて集光型ＬＥＤ２１から照射される光により縫い針２０３を明るく照射することができるので、少数のＬＥＤでミシンの照明装置として機能させることができる。
【００４３】
〔実施形態３〕
＜照明装置の構成＞
図１１に示すように、照明装置３０は、ミシン３００に設けられ、通電により縫い針３０３及び作業者の手元を照射するものであり、縫い針３０３への糸通しや作業者による縫製状況の視認を容易にするものである。ミシン３００は、例えば、家庭用ミシンであり、土台となるベッド部３０１を備え、このベッド部３０１上にはアーム部３０２が設けられている。アーム部３０２の先端部には、縫い針３０３が取り付けられた針棒３０４が設けられ、この針棒３０４に隣接して糸通し装置３０５が設けられている。また、アーム部３０２の側面には、縫製を開始する指示入力を行うとともに、縫製を停止させる指示入力を行う縫製開始スイッチ兼縫製停止スイッチとしてのスタートストップスイッチ３０６（以下、Ｓ／Ｓスイッチ３０６という。）が設けられている。Ｓ／Ｓスイッチ３０６は、最初の押下により縫製を開始させ、二回目の押下により縫製を停止させ、三回目の押下により再び縫製を開始させる。
【００４４】
図１１〜図１４に示すように、照明装置３０は、通電により縫い針３０３及び作業者の手元を照射する一つの拡散型ＬＥＤ３１と、拡散型ＬＥＤ３１から発光された光を透過させて集光させる集光光学系としての集光レンズ３２と、拡散型ＬＥＤ３１から発光される光の光路上に集光レンズ３２を進退させる駆動機構３３と、拡散型ＬＥＤ３１の点灯・消灯の制御、駆動機構３３の駆動制御を行う制御装置３４と、を備えている。
拡散型ＬＥＤ３１は、指向性の低いＬＥＤであり、照射範囲は広いが、単位面積あたりの光量は小さい。また、拡散型ＬＥＤ３１の発光色は白色であることが好ましい。
【００４５】
集光レンズ３２は、図１２に示すように、拡散型ＬＥＤ３１から発光された指向性の低い光を集光させる形状に形成されており、集光レンズ３２を透過した光は、照射範囲は狭くなるものの単位面積あたりの光量は増加する。集光レンズ３２は、図１３に示すように集光レンズ３２の周囲を囲む支持枠３２１により支持され、この支持枠３２１の端部は駆動機構３３に連結されている。
駆動機構３３は、図１３に示すように、駆動源となるアクチュエータ３３１と、このアクチュエータ３３１の出力軸３３１ａに連結された主動歯車３３２と、主動歯車３３２に噛み合う従動歯車３３３と、を備えている。従動歯車３３３には、支持枠３２１の一端が連結されている。すなわち、アクチュエータ３３１が駆動すると、出力軸３３１ａが回転し、出力軸３３１ａの回転とともに主動歯車３３２が回転する。主動歯車３３２の回転により従動歯車３３３も回転し、従動歯車３３３の回転によって支持枠３２１は、一端を回転中心として回転する。これにより、支持枠３２１に支持されている集光レンズ３２を拡散型ＬＥＤ３１の光路上に進出・退避させることができる。
【００４６】
図１４に示すように、制御装置３４は、拡散型ＬＥＤ３１の点灯・消灯制御、駆動機構３３の駆動制御等に関する処理プログラムに従って各処理を実行するＣＰＵ３５と、処理プログラムを展開してＣＰＵ３５の作業エリアとなるＲＡＭ３６と、各処理を実行するための処理プログラムや処理データ等が記憶されるＲＯＭ３７と、を備えている。
ＲＯＭ３７には、ミシンを起動させる主電源スイッチのＯＮにより拡散型ＬＥＤ３１を点灯させる拡散型ＬＥＤ点灯制御プログラム３７ａが記憶されている。すなわち、ＣＰＵ３５が拡散型ＬＥＤ点灯制御プログラム３７ａを実行することにより制御装置３４は、拡散型ＬＥＤ点灯制御手段として機能する。
ＲＯＭ３７には、縫製を開始する指示入力がなされるＳ／Ｓスイッチ３０６の縫製開始ＯＮにより、集光レンズ３２が拡散型ＬＥＤ３１の光路上から退避するように駆動機構３３を駆動させるとともに、縫製を停止する指示入力がなされるＳ／Ｓスイッチ３０６の縫製停止ＯＮにより、集光レンズ３２が拡散型ＬＥＤ２１の光路上に進出するように駆動機構３３を駆動させる集光レンズ駆動制御プログラム３７ｂが記憶されている。すなわち、ＣＰＵ３５が集光レンズ駆動制御プログラム３７ｂを実行することにより制御装置３４は、集光光学系駆動制御手段として機能する。
【００４７】
集光レンズ駆動制御プログラム３７ｂは、縫い針３０３の針穴に糸通しを行う指示入力がなされる糸通し装置３０５の糸通しレバー３０８の操作により、集光レンズ３２が拡散型ＬＥＤ３１の光路上に進出するように駆動機構３３を駆動させる。
【００４８】
＜照明装置の動作＞
次に、照明装置３０の動作について説明する。
図１５に示すように、ミシンの主電源をＯＮにすると（ステップＳ２１）、ＣＰＵ３５は、拡散型ＬＥＤ点灯制御プログラム３７ａを実行することにより、拡散型ＬＥＤ３１を点灯させる（ステップＳ２２）。
次いで、ＣＰＵ３５は、Ｓ／Ｓスイッチ３０６が押下されたか否かを判断する（ステップＳ２３）。ここでは、Ｓ／Ｓスイッチ３０６は、最初の押下であるため、縫製開始の指示入力がなされる押下となる。ここで、ＣＰＵ３５が、Ｓ／Ｓスイッチ３０６が押下されたと判断すると（ステップＳ２３：ＹＥＳ）、ＣＰＵ３５は集光レンズ駆動制御プログラム３７ｂを実行することにより、駆動機構３３を駆動させて集光レンズ３２を拡散型ＬＥＤ３１の光路上から退避させる（ステップＳ２４）。一方、ＣＰＵ３５が、Ｓ／Ｓスイッチ３０６が押下されていないと判断すると（ステップＳ２３：ＮＯ）、ＣＰＵ３５はステップＳ２３に戻る。
【００４９】
次いで、ＣＰＵ３５は、Ｓ／Ｓスイッチ３０６が押下されたか否かを判断する（ステップＳ２５）。ここでは、Ｓ／Ｓスイッチ３０６は、二回目の押下であるため、縫製停止の指示入力がなされる押下となる。ここで、ＣＰＵ３５が、Ｓ／Ｓスイッチ３０６が押下されたと判断すると（ステップＳ２５：ＹＥＳ）、ＣＰＵ３５は集光レンズ駆動制御プログラム３７ｂを実行することにより、集光レンズ３２を拡散型ＬＥＤ３１の光路上に進出させるように駆動機構３３を駆動させ（ステップＳ２６）、これをもって本処理を終了させる。一方、ＣＰＵ３５が、Ｓ／Ｓスイッチ３０６が押下されていないと判断すると（ステップＳ２５：ＮＯ）、ＣＰＵ３５はステップＳ２５に戻る。
【００５０】
また、縫い針３０３に糸通しを行う際には、作業者は糸通しレバー３０８を操作するが、この糸通しレバー３０８の操作がなされると、ＣＰＵ３５は集光レンズ駆動制御プログラム３７ｂを実行することにより、集光レンズ３２を拡散型ＬＥＤ３１の光路上に進出させるように駆動機構３３を駆動させる。
【００５１】
＜作用効果＞
実施形態３におけるミシン３００の照明装置３０によれば、ミシンの主電源スイッチがＯＮになると、ＣＰＵ３５は拡散型ＬＥＤ点灯制御プログラム３７ａを実行することにより拡散型ＬＥＤ３１を点灯させる。そして、Ｓ／Ｓスイッチ３０６がＯＮ（縫製開始）になると、ＣＰＵ３５は集光レンズ駆動制御プログラム３７ｂを実行することにより、集光レンズ３２が拡散型ＬＥＤ３１の光路上から退避するように駆動機構３３を駆動させる。
これにより、ミシンを起動させてから縫製開始までの縫製準備をする際には、拡散型ＬＥＤ３１の光を集光レンズ３２で集光することにより縫い針３０３及び作業者の手元を照射して明るくすることができる。一方、縫製開始後には、拡散型ＬＥＤ３１から光を照射することにより拡散型ＬＥＤ３１の照射領域とその周囲との明暗の差を小さくすることができる。また、集光レンズ３２を設けることで集光型ＬＥＤを設ける必要がなくなる。
【００５２】
また、Ｓ／Ｓスイッチ３０６がＯＮ（縫製停止）になると、ＣＰＵ３５は集光レンズ駆動制御プログラム３７ｂを実行することにより、集光レンズ３２が拡散型ＬＥＤ３１の光路上に進出するように駆動機構３３を駆動させる。
これにより、縫製中は拡散型ＬＥＤ３１から照射される光により縫い針３０３及び作業者の手元を照射するが、縫製を停止させると集光レンズ３２により光を集光させて、再び縫製準備をするときの状態（拡散型ＬＥＤ３１と集光レンズ３２により縫い針３０３及び作業者の手元を照射して明るくする）に戻すことができる。
よって、作業者の目を疲れさせることなく、少数のＬＥＤでミシンの照明装置として機能させることができる。
また、作業者の目が疲れる作業時には集光レンズ３２を用いることなく光を照射することができるので、少数のＬＥＤでミシンの照明装置として機能させることができる。
【００５３】
また、作業者によって糸通しレバー３０８が操作されると、ＣＰＵ３５は集光レンズ駆動制御プログラム３７ｂを実行することにより、集光レンズ３２が拡散型ＬＥＤ３１の光路上に進出するように駆動機構３３を駆動させる。
これにより、作業者の目が疲れる作業時には拡散型ＬＥＤ３１のみを用い、糸通しを行うときには集光レンズ３２を進出させて拡散型ＬＥＤ３１から照射される光を集光することにより縫い針２０３を明るく照射することができるので、少数のＬＥＤでミシンの照明装置として機能させることができる。
【００５４】
＜その他＞
なお、本発明の範囲は上記実施形態に限られるものではない。例えば、駆動機構に設けられ、支持枠を駆動させるアクチュエータは、駆動機構専用に設けてもよいし、糸通し装置の駆動モータと兼用してもよい。この場合、糸通し装置と支持枠とを同時に駆動させることはできないため、糸通し装置の駆動モータの出力を切り替えることができる駆動切替機構を設ける必要がある。
また、拡散レンズ及び集光レンズの形状、配置、数量は自由であって、拡散レンズであれば集光型ＬＥＤから発光された光を拡散でき、集光レンズであれば拡散型ＬＥＤから発光された光を集光できるものであればよい。
また、拡散レンズ又は集光レンズをＬＥＤの光路上に進退させるものに限らず、当該光路上に設けられたレンズを拡散レンズ又は集光レンズに接離するように移動させて発光された光を拡散させたり集光させたりしてもよい。
その他、発明の範囲内で自由に置換、変更等が可能である。
【図面の簡単な説明】
【００５５】
【図１】実施形態１におけるミシンの概略側面図。
【図２】実施形態１における拡散型ＬＥＤ及び集光型ＬＥＤの配置を示す図。
【図３】実施形態１における拡散型ＬＥＤ及び集光型ＬＥＤの照射範囲を示す図。
【図４】実施形態１における照明装置の構成を示すブロック図。
【図５】実施形態１における照明装置の動作を示すフローチャート。
【図６】実施形態２におけるミシンの概略側面図。
【図７】実施形態２における集光型ＬＥＤと拡散レンズの配置を示す図。
【図８】実施形態２における駆動機構を示す斜視図。
【図９】実施形態２における照明装置の構成を示すブロック図。
【図１０】実施形態２における照明装置の動作を示すフローチャート。
【図１１】実施形態３におけるミシンの概略側面図。
【図１２】実施形態３における拡散型ＬＥＤと集光レンズの配置を示す図。
【図１３】実施形態３における駆動機構を示す斜視図。
【図１４】実施形態３における照明装置の構成を示すブロック図。
【図１５】実施形態３における照明装置の動作を示すフローチャート。
【符号の説明】
【００５６】
１０  照明装置
１１  集光型ＬＥＤ
１２  拡散型ＬＥＤ
１３  制御装置（第１のＬＥＤ点灯制御手段、第２のＬＥＤ点灯制御手段、集光型ＬＥＤ点灯制御手段、拡散型ＬＥＤ点灯制御手段）
２０  照明装置
２１  集光型ＬＥＤ
２２  拡散レンズ（拡散光学系）
２３  駆動機構
２４  制御装置（集光型ＬＥＤ点灯制御手段、拡散光学系駆動制御手段）
３０  照明装置
３１  拡散型ＬＥＤ
３２  集光レンズ（集光光学系）
３３  駆動機構
３４  制御装置（拡散型ＬＥＤ点灯制御手段、集光光学系駆動制御手段）
１０３  縫い針
１０６  Ｓ／Ｓスイッチ（縫製開始スイッチ、縫製停止スイッチ）
２０３  縫い針
２０６  Ｓ／Ｓスイッチ（縫製開始スイッチ、縫製停止スイッチ）
２０８  糸通しレバー（糸通しスイッチ）
３０３  縫い針
３０６  Ｓ／Ｓスイッチ（縫製開始スイッチ、縫製停止スイッチ）
３０８  糸通しレバー（糸通しスイッチ）
【図１】
2007117367.tif 000003
【図２】
2007117367.tif 000004
【図３】
2007117367.tif 000005
【図４】
2007117367.tif 000006
【図５】
2007117367.tif 000007
【図６】
2007117367.tif 000008
【図７】
2007117367.tif 000009
【図８】
2007117367.tif 000010
【図９】
2007117367.tif 000011
【図１０】
2007117367.tif 000012
【図１１】
2007117367.tif 000013
【図１２】
2007117367.tif 000014
【図１３】
2007117367.tif 000015
【図１４】
2007117367.tif 000016
【図１５】
2007117367.tif 000017